(57)【要約】【課題】ＣＴ撮影とパノラマ撮影とに兼用できるチンレストなどを提供する。【解決手段】  チンレスト１５０に、被検者の顎が載置される顎載置面１５８、および顎載置面１５８における被検者から遠い側の端部に形成された保持用孔１６０を形成する。さらに、保持用孔１６０に、被検者の顎が当接される規定部２０４が形成された規定部材２００の被保持部２０６が挿し通されるようにすることにより、上記課題を解決できる。【選択図】図３
2018047107.tif 000002
【特許請求の範囲】
【請求項１】
被検者の顎が載置される顎載置面、および
前記顎載置面における被検者から遠い側の端部に形成された保持用孔を有するチンレストであって、
被検者の顎が当接される規定部が形成された規定部材の被保持部が前記保持用孔に挿し通されることによって前記規定部材が保持される
チンレスト。
【請求項２】
前記顎載置面は下方に凸の曲面に形成されており、かつ、
前記顎載置面における被検者に近い側の端部には切欠部が形成されている請求項１に記載のチンレスト。
【請求項３】
前記保持用孔の表面には凸部が形成されている請求項１または２に記載のチンレスト。
【請求項４】
被検者の顎が載置される顎載置面を有するチンレストにおける前記顎載置面の被検者から遠い側の端部に形成された保持用孔に挿し通される被保持部と、
被検者の顎が当接される規定部とを有する規定部材。
【請求項５】
被検者の顎が当接される前記規定部における顎当接面の曲率は、想定される被検者の顎の下端部前方面の曲率よりも大きく設定されている請求項４に記載の規定部材。
【請求項６】
請求項１から３のいずれか１項に記載のチンレストと、
請求項４または５に記載の規定部材とを備えるチンレストセット。
【請求項７】
前記保持用孔に前記被保持部が保持された状態において、前記顎載置面と前記規定部の表面とで構成される入隅部には稜線が形成される請求項６に記載のチンレストセット。
【請求項８】
請求項１から３のいずれか１項に記載のチンレスト、あるいは、請求項６または７に記載のチンレストセットにおけるチンレストの前記保持用孔に挿し通されることによって前記チンレストに保持されるバイトブロック。
【請求項９】
請求項１から３のいずれか１項に記載のチンレスト、請求項４または５に記載の規定部材、請求項６または７に記載のチンレストセット、および、請求項８に記載のバイトブロックのうちのいずれか１つを備えるＸ線撮影装置。
【発明の詳細な説明】
【技術分野】
【０００１】
本発明は、例えば歯科や耳鼻科で使用されるチンレスト、規定部材、チンレストセット、バイトブロック、およびそれらを備えるＸ線撮影装置に関する。
【背景技術】
【０００２】
例えば歯科や耳鼻科で使用されるＸ線撮影装置には、ブレが少なく診断しやすいＸ線画像を得るために被検者の頭部を正しい位置で保持する頭部保持手段が設けられている。
【０００３】
このような頭部保持手段として、一般に、チンレストは被検者の顎を載置するのに使用され、バイトブロックはパノラマ撮影の際に前歯の前後方向の位置を揃えるために使用される。例えば、特許文献１には、被検者の顎を載置するチンレストや、バイトブロックが開示されている。
【先行技術文献】
【特許文献】
【０００４】
【特許文献１】実用新案登録第３０４７７３３号公報
【発明の概要】
【発明が解決しようとする課題】
【０００５】
ところで、特許文献１に開示されたＸ線撮影装置では、チンレストおよびバイトブロックにそれぞれ「取付部」が設けられており、この「取付部」を下部フレームの先端部に形成された取付孔に嵌め込むことにより、チンレストやバイトブロックを下部フレームに対して固定できるようになっている。
【０００６】
しかしながら、上記のように、チンレストやバイトブロックにそれぞれ取付部を設けると、当然ながら、チンレストやバイトブロックを別々に用意しなければならず、コストが高くなる問題があった。また、歯科や耳鼻科の診察室とは別に設けられるレントゲン室は比較的狭小に設計されていることが多いので、別々に用意したチンレストやバイトブロックをそれぞれ収納しておく収納スペースを確保するのが難しいという問題もあった。
【０００７】
さらに言えば、チンレストにバイトブロックを組み合わせたものがパノラマ撮影の際に使用される場合もある。しかし、頭部保持手段に対する被検者の頭部の前後位置はバイトブロックで規定できることから、パノラマ撮影の際に使用されるチンレストは被検者の頭部の前後位置を規定するようにはなっていない。これに対し、ＣＴ撮影の際に使用されるチンレストには、被検者の頭部の前後位置を規定する規定部がチンレストの上面から上方に延びるように設けられている。このため、特許文献１の場合と同様、パノラマ撮影用チンレストとＣＴ撮影用チンレストとを別々に用意しなければならず、コストの問題やスペース確保の問題があった。
【０００８】
本発明は、このような従来技術の問題点に鑑みて開発されたものである。それゆえに本発明の主たる課題は、従来のものに比べてコストを低減させることができるとともに、レントゲン室のスペース確保の問題を解消できるチンレスト、チンレストセット、およびこれらを備えるＸ線撮影装置を提供することにある。
【課題を解決するための手段】
【０００９】
本発明のチンレストは、
被検者の顎が載置される顎載置面、および
前記顎載置面における被検者から遠い側の端部に形成された保持用孔を有するチンレストであって、
被検者の顎が当接される規定部が形成された規定部材の被保持部が前記保持用孔に挿し通されることによって前記規定部材が保持される
チンレストである。
【００１０】
前記顎載置面は下方に凸の曲面に形成されており、かつ、
前記顎載置面における被検者に近い側の端部には切欠部が形成されていることが好ましい。
【００１１】
前記保持用孔の表面には凸部が形成されていることが好ましい。
【００１２】
本発明の規定部材は、
被検者の顎が載置される顎載置面を有するチンレストにおける前記顎載置面の被検者から遠い側の端部に形成された保持用孔に挿し通される被保持部と、
被検者の顎が当接される規定部とを有している。
【００１３】
被検者の顎が当接される前記規定部における顎当接面の曲率は、想定される被検者の顎の下端部前方面の曲率よりも大きく設定されていることが好ましい。
【００１４】
本発明のチンレストセットは、
上述したチンレストと規定部材とを備えている。
【００１５】
また、前記保持用孔に前記被保持部が保持された状態において、前記顎載置面と前記規定部の表面とで構成される入隅部には稜線が形成されることが好ましい。
【００１６】
本発明のバイトブロックは、
上述したチンレスト、あるいは、チンレストセットにおけるチンレストの前記保持用孔に挿し通されることによって前記チンレストに保持される。
【００１７】
また、上記チンレスト、規定部材、チンレストセット、バイトブロックのうちいずれか１つを備えるＸ線撮影装置を提供することができる。
【発明の効果】
【００１８】
本発明によれば、被検者の顎が当接される規定部が形成された規定部材の被保持部をチンレストの顎載置面に形成された保持用孔に挿し通すことにより、ＣＴ撮影の際に使用できるチンレストセットを構成できる。また、当該保持用孔に対して、規定部材の被保持部ではなく、バイトブロックを挿し通すことで、同じチンレストをパノラマ撮影の際にも使用することができる。
【００１９】
これにより、ＣＴ撮影の際に使用するチンレストと、パノラマ撮影の際に使用するチンレストとを別々に用意する必要がなくなり、ひとつのチンレストをＣＴ撮影とパノラマ撮影とに兼用できるので、従来のものに比べてコストを低減させることができるとともに、レントゲン室のスペース確保の問題を解消できる。
【図面の簡単な説明】
【００２０】
【図１】本発明が適用されたチンレストセット１００を有するＸ線撮影装置１０を示す斜視図である。
【図２】チンレストセット１００を有する被検者保持部材２２を示す斜視図である。
【図３】チンレストセット１００を示す分解斜視図である。
【図４】チンレストセット１００を示す分解斜視図である。
【図５】チンレスト１５０を示す正面図である。
【図６】チンレスト１５０を示す右側面図である。
【図７】チンレスト１５０を示す平面図である。
【図８】規定部材２００を示す正面図である。
【図９】規定部材２００を示す右側面図である。
【図１０】規定部材２００を示す平面図である。
【図１１】規定部材２００をチンレスト１５０に取り付けた状態（チンレストセット１００）を示す平面図である。
【図１２】規定部材２００をチンレスト１５０に取り付けた状態（チンレストセット１００）を示す右側面図である。
【図１３】図１１におけるＡ-Ａ矢視断面図である。
【図１４】チンレスト１５０とバイトブロック２５０とを組み合わせたチンレストセット１００を示す分解斜視図である。
【図１５】チンレスト１５０とバイトブロック２５０とを組み合わせたチンレストセット１００を示す右側面図である。
【図１６】チンレスト１５０と規定部材２００とを組み合わせたチンレストセット１００を用いて被検者をＸ線撮影する状態を示す右側面図である。
【図１７】チンレスト１５０とバイトブロック２５０とを組み合わせたチンレストセット１００を用いて被検者をＸ線撮影する状態を示す右側面図である。
【図１８】規定部材２００とチンレスト１５０とで構成される入隅部２１２に被検者の顎をセットした状態を示す断面図である。
【図１９】角張っておらず稜線が形成されていない従来の入隅部に被検者の顎をセットした状態を示す断面図である。
【図２０】顎載置面１５８に被検者の顎を載置した状態を示す背面図である。
【図２１】顎当接面２１０と被検者の顎の下端部前方面との接触の状態を示す平面図である。
【図２２】顎当接面の曲率が想定される被検者の顎の下端部前方面の曲率よりも小さい場合における、顎当接面と被検者の顎の下端部前方面との接触の状態を示す平面図である。
【図２３】凸部３００が形成された保持用孔１６０や保持用第二孔１７２を示す断面図である。
【発明を実施するための形態】
【００２１】
（Ｘ線撮影装置１０の構成）
以下では、本発明が適用されたチンレストセット１００について説明するが、それに先だって、チンレストセット１００を有するＸ線撮影装置１０の実施例について図面を用いて説明する。
【００２２】
図１は、チンレストセット１００が使用された、歯科用のＣＴ撮影を行うＸ線撮影装置１０を示す斜視図である。本明細書では、最初にＣＴ撮影を行うＸ線撮影装置１０を例にして説明し、然る後、パノラマ撮影を行う場合について説明する。もちろん、このＸ線撮影装置１０は耳鼻科用一般撮影などにも使用することができる。
【００２３】
Ｘ線撮影装置１０は、大略、床に載置されるベース１２と、ベース１２の隅部から鉛直方向に立設された支柱１３と、この支柱１３に沿って上下動する昇降本体１４と、昇降本体１４の上端部から水平方向に延びるようにして設けられた保持フレーム１６と、保持フレーム１６における昇降本体１４側とは反対側の端部下面から吊り下げられた旋回アーム１８と、昇降本体１４の高さ方向における中ほどから保持フレーム１６と略平行に延びるようにして設けられた被検者フレーム２０と、被検者フレーム２０における昇降本体１４側とは反対側の端に設けられた被検者保持部材２２とを備えている。なお、チンレストセット１００は、被検者保持部材２２の一部を構成している。
【００２４】
旋回アーム１８は、下向きに開口する略コ字状に形成されており、一方の下端部側面にはＸ線照射部２４が設けられており、このＸ線照射部２４に対向する他方の下端部側面にはＸ線検出部２６が設けられている。また、旋回アーム１８は、保持フレーム１６に対して回転するとともにその回転軸が水平移動するようになっている。旋回アーム１８は、ＣＴ撮影時は回転して撮影を行い、パノラマ撮影時は回転および水平移動して撮影を行う。
【００２５】
次に、被検者保持部材２２について説明する。図２は、被検者保持部材２２を示す拡大斜視図である。被検者保持部材２２は、Ｘ線撮影を受ける被検者を保持することによって正確な位置でＸ線撮影を実施できるようにするものである。本実施例において、被検者保持部材２２は、被検者の頭部を保持する頭部保持手段２８と、被検者によって把持される一対のグリップ３０とで構成されている。なお、グリップ３０は、被検者フレーム２０の先端両側部から略水平方向外側に突き出すように設けられたグリップ支持部材３２によって支持されている。
【００２６】
頭部保持手段２８は、被検者の頭部を直接的に保持する頭部保持部材３４と、被検者の顎が載置されるチンレストセット１００とで構成されている。頭部保持部材３４は、一対の頭部保持部材用支柱３６によって所定の高さ位置で保持されている。本実施例では、頭部保持部材用支柱３６の基部は、グリップ３０の上面に取り付けられている。なお、頭部保持部材３４は、図示するような形式のものに限定されるものではない。また、頭部保持部材用支柱３６の基部は、被検者フレーム２０に直接取り付けられてもよく、その他の部材に取り付けられてもよい。なお、頭部保持部材３４は本発明における必須の構成要素ではなく、チンレストセット１００のみで頭部保持手段２８を構成してもよい。
【００２７】
なお、本明細書では、図２に示すように、頭部保持手段２８に被検者の頭部と固定したときに当該被検者が向く方向を「前」方向、その逆を「後」方向、被検者の右手側を「右」方向、左手側を「左」方向、さらに、Ｘ線撮影装置１０を設置した床面から離れていく方向を「上」方向、近づいていく方向を「下」方向という。また、昇降本体１４側から見た頭部保持手段２８を「正面」といい、逆に被検者側から見た頭部保持手段２８を「背面」という。
【００２８】
（チンレストセット１００の構成）
チンレストセット１００の構成について、図２に加えて、図３および図４を用いて説明する。図２は、被検者保持部材２２におけるチンレストセット１００の位置を示す斜視図である。図３は、チンレストセット１００を斜め上から見おろした分解斜視図である。また、図４は、チンレストセット１００を斜め下から見上げた分解斜視図である。本実施例のチンレストセット１００は、被検者フレーム２０の先端部上面に取り付けられており、チンレスト１５０と、規定部材２００とを備えている。また、図１〜図４には描かれていないが、本発明に係るチンレストセット１００におけるチンレスト１５０は、上述した規定部材２００に代えて、バイトブロック２５０と組み合わせることができる。このバイトブロック２５０については、チンレスト１５０および規定部材２００の後で説明する。
【００２９】
次に、チンレスト１５０の構成について、図２〜図４に加えて、図５〜図７を用いて説明する。図２は、被検者保持部材２２における、チンレスト１５０を含むチンレストセット１００の位置を示す斜視図である。図３は、チンレスト１５０を斜め上から見おろした斜視図である。図４は、チンレスト１５０を斜め下から見上げた分解斜視図である。図５はチンレスト１５０を示す正面図である。図６は、チンレスト１５０を示す右側面図である。さらに、図７は、チンレスト１５０を示す平面図である。
【００３０】
チンレスト１５０は、被検者の顎が載置される本体部１５２と、被検者フレーム２０から本体部１５２を支持する支持部１５４と、後述するように規定部材２００を保持するための保持部１５６とを有している。本実施例のチンレスト１５０は、これら本体部１５２と支持部１５４と保持部１５６とで一体に形成されているが、もちろん、別々に用意した各部を組み合わせてチンレスト１５０を構成してもよい。
【００３１】
本体部１５２は、略平板状の部分であり、その上面は被検者の顎が載置される顎載置面１５８となっている。また、この顎載置面１５８における前側（つまり、被検者が顎載置面１５８に顎を載置したときにおいて、被検者から遠い側）の端部には、規定部材２００の被保持部２０６（後述）が挿し通される保持用孔１６０が形成されている。さらに、本実施例の本体部１５２における顎載置面１５８における後側（つまり、被検者が顎載置面１５８に顎を載置したときにおいて、被検者に近い側）の端部には、切欠部１６２が形成されている。また、本実施例の本体部１５２は、前側に行くにしたがって幅が狭くなっていくように形成されている（図７を参照）。これにより、本体部１５２の顎載置面１５８は、略ハート形になっている。なお、上述した「切欠部１６２」や「前側に行くにしたがって幅が狭くなっていく形状」は、本発明における必須の構成要素ではない。
【００３２】
また、顎載置面１５８は、下方に凸の曲面に形成されている（図５を参照）。さらに言えば、この曲面は、背面視における曲率が一定となるように形成されている。もちろん、顎載置面１５８が平面であってもよく、また、曲率が一定ではない（位置によって曲率が異なる）曲面であってもよい。
【００３３】
支持部１５４は、上述のように、被検者フレーム２０から本体部１５２を支持するための略円柱状部分であり、その一端が本体部１５２の下面に取り付けられており、他端部に被検者フレーム２０に形成された嵌込穴３８に嵌め込まれる嵌込部１６４が形成されている。嵌込部１６４は、支持部１５４の下面に形成された一条の溝１６６を有している。この溝１６６は、支持部１５４の前側の側面下端部から、後側の側面下端部に至る切欠きになっている。図示しないが、被検者フレーム２０に形成された、当該支持部１５４を嵌め込む嵌込穴３８の底部には、この溝１６６と嵌まり合う凸所が形成されている。溝１６６に凸所が嵌められることにより、チンレスト１５０が被検者フレーム２０に対して不所望に左右方向に回るのを防止することができる。
【００３４】
また、本実施例の支持部１５４は、大径部１６８と、大径部１６８よりも上側に位置しており、かつ、大径部１６８に比べて径がやや小さい小径部１７０とで構成されているが、これに限定されるものではなく、支持部１５４を一定径の略円柱に形成するなどしてもよい。さらに、支持部１５４の側面と本体部１５２の下面との間には補強板１７６が設けられており、本体部１５２に対して支持部１５４がより強固に取り付けられている。
【００３５】
保持部１５６は、上述のように、規定部材２００を保持するための部分であり、本体部１５２の下面における、顎載置面１５８に形成された保持用孔１６０に対応する位置に取り付けられた、略下方に延びる略角筒状部である。保持部１５６は、略中心部に、規定部材２００の被保持部２０６が挿し通される保持用第二孔１７２が形成されており、この保持用第二孔１７２が顎載置面１５８に形成された保持用孔１６０と連なることにより、本体部１５２の厚さよりも深い保持用深孔１７４が形成されている。なお、保持用第二孔１７２は、図示するような貫通孔ではなく、底のある穴であってもよい。また、この保持部１５６も発明の必須構成要素ではなく、本体部１５２の顎載置面１５８に形成された保持用孔１６０のみで規定部材２００の被保持部２０６を保持してもよい。さらに、保持部１５６を設けない場合において、保持用孔１６０を貫通孔ではなく底のある穴にしてもよい。
【００３６】
規定部材２００について、図２〜図４に加えて、図８〜図１０を用いて説明する。図２は、被検者保持部材２２における、規定部材２００を含むチンレストセット１００の位置を示す斜視図である。図３は、規定部材２００を斜め上から見おろした斜視図である。図４は、規定部材２００を斜め下から見上げた分解斜視図である。図８は規定部材２００を示す正面図である。図９は、規定部材２００を示す右側面図である。さらに、図１０は、規定部材２００を示す平面図である。
【００３７】
規定部材２００は、顎載置面１５８に被検者が顎を載置する際に当該顎の前側に当接する部材であり、規定部材本体部２０２と、規定部２０４と、被保持部２０６とを有している。本実施例の規定部材２００は、これら規定部材本体部２０２と規定部２０４と被保持部２０６とで一体に形成されているが、もちろん、別々に用意した各部を組み合わせて規定部材２００を構成してもよい。
【００３８】
規定部材本体部２０２は、規定部材２００をチンレスト１５０に取り付けた際に、顎載置面１５８の前方寄りに載置される部分であり、その下面２０８（つまり、顎載置面１５８に接する面）は、顎載置面１５８に対してぴったりと接するように、顎載置面１５８とほぼ同じ曲率で下に凸の曲面になっている（図８を参照）。もちろん、顎載置面１５８が平面に形成されている場合には、当該下面２０８も平面に形成するのが好ましく、また、顎載置面１５８が、曲率が一定でない曲面で形成されている場合には、同様に、当該下面２０８が接する部分の曲率に合わせた曲面で形成するのが好ましい。
【００３９】
規定部２０４は、規定部材２００をチンレスト１５０に取り付けた際に、規定部材本体部２０２における被検者に近い側の端から上方に延びるように設けられた部分である。また、規定部２０４は、前方（被検者から離れる方向）に凸の曲面であり、被検者の顎（より具体的に言うと、被検者の顎の下端部前方面）と接する顎当接面２１０を有している。この顎当接面２１０は、平面視において、一定の曲率で形成されており（図８を参照）、さらに言えば、顎当接面２１０を形成する曲率は、想定される被検者の顎の下端部前方面の曲率よりも大きく設定するのが好ましい。
【００４０】
規定部２０４の顎当接面２１０と、チンレスト１５０の顎載置面１５８との関係を、図１１〜図１３を用いて説明する。図１１は、規定部材２００をチンレスト１５０に取り付けた状態を示す平面図である。また、図１２は、規定部材２００をチンレスト１５０に取り付けた状態を示す右側面図である。さらに、図１３は、図１１におけるＡ−Ａ矢視断面図である。また、チンレスト１５０に割り振られている参照番号の説明は図５〜図７に割り振られている参照番号についての説明を援用し、チンレスト１５０の説明は省略する。また、規定部材２００に割り振られている参照番号の説明は図８〜図１０に割り振られている参照番号についての説明を援用し、規定部材２００の説明は省略する。
【００４１】
このように規定部材２００をチンレスト１５０に取り付けた状態において、顎当接面２１０と顎載置面１５８とで入隅部２１２が構成される。入隅部２１２とは、顎当接面２１０と顎載置面１５８とが接合したところの凹んで見える側をいう。そして、本実施例の場合、入隅部２１２における、顎当接面２１０と顎載置面１５８との接合部が角張った「稜線」として把握できるようになっている。
【００４２】
図２〜図４、および、図８〜図１０に戻る。被保持部２０６は、チンレスト１５０の本体部１５２における顎載置面１５８に形成された保持用孔１６０や、保持部１５６に形成された保持用第二孔１７２に挿し通される略四角筒状の部分であり、その一端が規定部材本体部２０２の前方の端部下面に取り付けられている。
【００４３】
上述の通り、被保持部２０６は保持用孔１６０や保持用第二孔１７２に挿し通される部分であることから、当該被保持部２０６の断面形状は、保持用孔１６０や保持用第二孔１７２にぴったりと嵌まる形状に設定されている。また、本実施例では、被保持部２０６の長さは、チンレスト１５０の本体部１５２の厚さ（保持用孔１６０の深さ）に対して保持部１５６の長さ（保持用第二孔１７２の深さ）を加えた長さよりも長く設定されているが、これに限定されるものではなく、被保持部２０６の長さの方が短くなるように設定してもよい。
【００４４】
次に、上述した規定部材２００に代えてチンレスト１５０と組み合わせるバイトブロック２５０について、図１４および図１５を用いて説明する。図１４は、チンレスト１５０とバイトブロック２５０とを組み合わせたチンレストセット１００を斜め上から見おろした分解斜視図である。また、図１５は、同チンレストセット１００の右側面図である。なお、図１４は図３に対応する図である。また、図１５は図１２に対応する図である。また、チンレスト１５０に割り振られている参照番号の説明は図３および図１２に振られている参照番号についての説明を援用し、チンレスト１５０の説明は省略する。
【００４５】
バイトブロック２５０は、バイトブロック本体部２５２と被噛部２５４とを有する、略四角棒を略Ｌ字状に曲げて形成したような形状の部材である。
【００４６】
バイトブロック本体部２５２は、チンレスト１５０に形成された保持用孔１６０に挿し通されることによって保持部１５６に保持される部分であり、その断面形状は、保持用孔１６０や保持用第二孔１７２にぴったりと嵌まる形状に設定されている。また、本実施例では、バイトブロック本体部２５２の長さは、チンレスト１５０の本体部１５２の厚さ（保持用孔１６０の深さ）に対して保持部１５６の長さ（保持用第二孔１７２の深さ）を加えた長さよりも十分に長く設定されており、後述のように、チンレスト１５０の顎載置面１５８に顎を載せた被検者が前歯でバイトブロック２５０の被噛部２５４を噛むことができる位置まで被噛部２５４を顎載置面１５８から離れた高さ位置で保持できるようになっている。
【００４７】
被噛部２５４は、バイトブロック本体部２５２の上端から、当該バイトブロック本体部２５２の長手方向に対して略直交する向きに延びており、上述のように、チンレスト１５０の顎載置面１５８に顎を載せた被検者の前歯で噛まれる部分である。そのため、被噛部２５４における被検者に近い側の端からやや遠い側に離れた位置の上面および下面には、被検者が被噛部２５４を噛む際の目安になる噛溝２５６が形成されている。
【００４８】
（チンレストセット１００の使用方法）
本実施例のチンレストセット１００の使用方法について説明する。最初に、バイトブロック２５０を使用しない場合、例えばＣＴ撮影の際や被検者が無歯顎の場合において、チンレスト１５０および規定部材２００を用いたＸ線撮影について、図２、図３、図１２および図１６を用いて説明する。図２は、被検者フレーム２０に対するチンレストセット１００の取付態様を示す図である。図３は、このチンレストセット１００についての分解斜視図である。図１２は、チンレスト１５０に規定部材２００を取り付けて構成したチンレストセット１００を示す右側面図である。また、図１６は、このチンレストセット１００を用いて被検者をＸ線撮影する際の右側面図である。なお、図１６に割り振られている参照番号の説明は、図２に割り振られている参照番号についての説明を援用する。
【００４９】
規定部材２００の被保持部２０６を、チンレスト１５０の保持用孔１６０およびこれに続く保持用第二孔１７２（つまり、保持用深孔１７４）に挿し通していき（図３を参照）、顎載置面１５８に対して規定部材本体部２０２の下面２０８を接触させることにより、規定部材２００をチンレスト１５０に保持させることができる（図１２を参照）。また、チンレスト１５０の支持部１５４における嵌込部１６４を、被検者フレーム２０の嵌込穴３８に嵌め込むことにより、チンレストセット１００を被検者フレーム２０に対して取り付けることができる（図２を参照）。なお、支持部１５４の嵌込穴３８に対する嵌め込みは、規定部材２００をチンレスト１５０に保持させた後でもよいし、先にチンレスト１５０を被検者フレーム２０に取り付け、然る後、規定部材２００をチンレスト１５０に取り付けてもよい。
【００５０】
チンレストセット１００を被検者フレーム２０の取り付けた状態で、顎載置面１５８に被検者の顎を載置するとともに、被検者の顎の下端部前面が規定部材２００における規定部２０４の顎当接面２１０に当たるように被検者の前後位置を調整する（図１６を参照）。これにより、被検者の頭部を正しい位置で保持することができ、ブレが少なく診断しやすいＣＴ画像を得ることができる。
【００５１】
次に、チンレスト１５０およびバイトブロック２５０を用いてパノラマ撮影用のチンレストセット１００とした場合について、図１５および図１７を用いて説明する。図１５は、チンレスト１５０にバイトブロック２５０を取り付けて構成したチンレストセット１００を示す右側面図である。また、図１７は、このチンレストセット１００を用いて被検者をＸ線撮影する際の右側面図である。なお、図１７に割り振られている参照番号の説明は、図２に割り振られている参照番号についての説明を援用する。
【００５２】
チンレスト１５０から規定部材２００を取り外した後、バイトブロック２５０のバイトブロック本体部２５２を、チンレスト１５０の保持用孔１６０およびこれに続く保持用第二孔１７２（つまり、保持用深孔１７４）に挿し通していき、バイトブロック２５０の被噛部２５４が顎載置面１５８から所定の間隔をあけた位置にきたところでバイトブロック２５０を保持する。
【００５３】
この状態で、顎載置面１５８に被検者の顎を載置するとともに、被検者の前歯でバイトブロック２５０の被噛部２５４を噛むことができるよう被検者の前後位置を調整する。これにより、被検者の頭部を正しい位置で保持することができ、ブレが少なく診断し易いパノラマ画像を得ることができる。
【００５４】
本実施例のチンレストセット１００では、被検者の顎が当接される顎当接面２１０が形成された規定部２０４を有する規定部材２００の被保持部２０６をチンレスト１５０の顎載置面１５８に形成された保持用孔１６０に挿し通すことにより、ＣＴ撮影の際に使用できるチンレストセット１００を構成できる。また、当該保持用孔１６０に対して、規定部材２００の被保持部２０６ではなく、バイトブロック２５０のバイトブロック本体部２５２を挿し通すことで、パノラマ撮影の際に使用できるチンレストセット１００を構成できる。
【００５５】
これにより、ＣＴ撮影の際に使用するチンレストと、パノラマ撮影の際に使用するチンレストとを別々に用意する必要がなくなり、ひとつのチンレスト１５０をＣＴ撮影とパノラマ撮影とに兼用できるので、従来のものに比べてコストを低減させることができるとともに、レントゲン室のスペース確保の問題を解消できる。つまり、バイトブロック２５０を使用する場合、および、使用しない場合の両方で同じチンレスト１５０を共用することができる。
【００５６】
被検者がチンレストに顎を載置した状態を図１８および図１９に示す。図１８は、本実施例のチンレストセット１００に被検者が顎を載置した状態を示す、図１１のＡ−Ａ矢視断面図である。なお、図１８に割り振られている参照番号の説明は、図１３に割り振られている参照番号についての説明を援用する。また、図１９は、従来のチンレストに被検者が顎を載置した状態を示す図１８との対比のための断面図である。なお、図１９における図１３に対応する位置には、図１３に割り振られている参照番号の末尾に「ａ」を付した参照番号を割り振っている。本実施例のチンレストセット１００では、チンレスト１５０の顎載置面１５８に形成された保持用孔１６０に、規定部材２００の被保持部２０６が挿し通されて保持された状態において、顎載置面１５８と規定部材２００の顎当接面２１０とで構成される入隅部２１２は稜線が形成されるように角張っているので、この図１８に示すように、被検者の顎は顎載置面１５８と顎当接面２１０との２点でチンレストセット１００に接することになる。もし、顎載置面１５８と規定部材２００の顎当接面２１０とで構成される入隅部２１２が角張っておらず稜線が形成されていない場合、図１９に示すように、被検者の顎は顎載置面１５８と顎当接面２１０との境部分のアール部でのみ接するおそれがある。本実施例のチンレストセット１００のように、被検者の顎が２点で接するようにすれば、被検者の頭部をより安定して保持できるようになる。なお、上述のように、顎載置面１５８と規定部材２００の顎当接面２１０とで構成される入隅部２１２に稜線が形成されるように角張らせる場合は、チンレスト１５０と規定部材２００とを互いに一体的に形成してチンレストセット１００を構成してもよい。
【００５７】
本実施例のチンレストセット１００に被検者が顎を載置した状態を図２０に示す。図２０は同状態を示す背面図である。なお、図２０に割り振られている参照番号の説明は、図１２に割り振られている参照番号についての説明を援用する。本実施例のチンレストセット１００では、顎載置面１５８は下方に凸の曲面に形成されているので、図２０に示すように、被検者の顎（被検者の顎の外形は点線で示されている）は、その中心から左右方向にやや離れた２点で顎載置面１５８に支えられることになり、被検者の顎の左右方向中心における下端と顎載置面１５８との間に隙間が生じることになる。これに加えて、顎載置面１５８における被検者に近い側の端部（後方端部）には切欠部１６２が形成されている。以上のことから、本実施例のチンレストセット１００によれば、被検者の顎の下端から頸に至る部分がチンレスト１５０に触れることによって被検者に不快感を与える可能性を低減できる。なお、上述のように、顎載置面１５８を下方に凸の曲面に形成する場合は、チンレスト１５０と規定部材２００とを互いに一体的に形成してチンレストセット１００を構成してもよい。
【００５８】
被検者がチンレストに顎を載置した状態を図２１および図２２に示す。図２１は、本実施例のチンレストセット１００における規定部材２００に被検者の顎を当接させた状態を示す平面図である。なお、図２１に割り振られている参照番号の説明は、図１１に割り振られている参照番号についての説明を援用する。また、図２２は、従来のチンレストに被検者の顎を当接させた状態を示す、図２１との対比のための平面図である。なお、図２２における図１１に対応する位置には、図１１に割り振られている参照番号の末尾に「ｂ」を付した参照番号を割り振っている。本実施例のチンレストセット１００では、規定部材２００の規定部２０４における顎当接面２１０の曲率を、想定される被検者の顎の下端部前方面の曲率よりも大きく設定しているので、図２１に示すように、被検者の顎（被検者の顎の外形は点線で示されている）は、その中心から左右方向にやや離れた２点で顎当接面２１０に接することになる。顎当接面の曲率が想定される被検者の顎の下端部前方面の曲率よりも小さい場合、図２２に示すように、被検者の顎（被検者の顎の外形は点線で示されている）が顎当接面２１０と１点でのみ接するおそれがある。本実施例のチンレストセット１００のように、被検者の顎が顎当接面２１０と２点で接するようにすれば、被検者の頭部をより安定して保持できるようになる。なお、上述のように、規定部２０４における顎当接面２１０の曲率を、想定される被検者の顎の下端部前方面の曲率よりも大きく設定する場合は、チンレスト１５０と規定部材２００とを互いに一体的に形成してチンレストセット１００を構成してもよい。
【００５９】
（変形例１）
上述した実施例では、チンレスト１５０の顎載置面１５８に形成された保持用孔１６０や保持部１５６に形成された保持用第二孔１７２の断面形状は、四角形状に形成されているが、これに限定されるものではなく、三角形状や五角形状など角形であればどのようなものでもよい。もちろん、これらの断面形状に合わせて規定部材２００の被保持部２０６の断面形状やバイトブロック２５０のバイトブロック本体部２５２の断面形状も決められる。
【００６０】
また、保持用孔１６０や保持用第二孔１７２の表面に図２３に示すような凸部３００を形成してもよい。図２３は、凸部３００が形成された保持用孔１６０や保持用第二孔１７２を示す断面図である。このような凸部３００を形成することにより、凸部３００が形成された位置において保持用孔１６０を実質的に小さくすることができるとともに、製造上、完全に同じ大きさで形成するのが難しい保持用孔１６０と保持用第二孔１７２と間の大きさの差をより少なくできるので、規定部材２００の被保持部２０６やバイトブロック２５０のバイトブロック本体部２５２をより強く、かつ、精度よく保持することができる。なお、凸部３００の形状は、図示するような断面が略半円状のものに限定されず、例えば、断面が角形であってもよい。また、凸部３００は、保持用孔１６０や保持用第二孔１７２の長手方向に沿って延びる畝状のものであってもよい。
【００６１】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【００６２】
１０…Ｘ線撮影装置、１２…ベース、１３…支柱、１４…昇降本体、１６…保持フレーム、１８…旋回アーム、２０…被検者フレーム、２２…被検者保持部材、２４…Ｘ線照射部、２６…Ｘ線検出部、２８…頭部保持手段、３０…グリップ、３２…グリップ支持部材、３４…頭部保持部材、３６…頭部保持部材用支柱、３８…嵌込穴
１００…チンレストセット、
１５０…チンレスト、１５２…本体部、１５４…支持部、１５６…保持部、１５８…顎載置面、１６０…保持用孔、１６２…切欠部、１６４…嵌込部、１６６…溝、１６８…大径部、１７０…小径部、１７２…保持用第二孔、１７４…保持用深孔、１７６…補強板
２００…規定部材、２０２…規定部材本体部、２０４…規定部、２０６…被保持部、２０８…（規定部材本体部２０２の）下面、２１０…顎当接面、２１２…入隅部、
２５０…バイトブロック、２５２…バイトブロック本体部、２５４…被噛部、２５６…噛溝
３００…凸部
【図１】
2018047107.tif 000003
【図２】
2018047107.tif 000004
【図３】
2018047107.tif 000005
【図４】
2018047107.tif 000006
【図５】
2018047107.tif 000007
【図６】
2018047107.tif 000008
【図７】
2018047107.tif 000009
【図８】
2018047107.tif 000010
【図９】
2018047107.tif 000011
【図１０】
2018047107.tif 000012
【図１１】
2018047107.tif 000013
【図１２】
2018047107.tif 000014
【図１３】
2018047107.tif 000015
【図１４】
2018047107.tif 000016
【図１５】
2018047107.tif 000017
【図１６】
2018047107.tif 000018
【図１７】
2018047107.tif 000019
【図１８】
2018047107.tif 000020
【図１９】
2018047107.tif 000021
【図２０】
2018047107.tif 000022
【図２１】
2018047107.tif 000023
【図２２】
2018047107.tif 000024
【図２３】
2018047107.tif 000025